(57)【要約】【課題】各表示画素の表示状態を変えるために規則的に時間間隔を置かれた一連の電圧パルスを必要とするような電気光学表示装置を更新するための、効率的な方法および装置。【解決手段】表示マトリックスの最初の行から出発して表示マトリックスの行を順次選択するステップと、選択された行が２つまたはそれ以上の駆動フレームを有する波形の第１の駆動フレーム中のサブマトリックスの第１の行に先行するかどうかを判定するステップを含む。そして、選択された行が波形の第１の駆動フレーム中のサブマトリックスの第１の行に先行するという条件が偽であるときは、選択された行を第１のラインアドレス期間に対してアドレス指定し、当該条件が真であるときは、選択された行を第２のラインアドレス期間に対してアドレス指定する。【選択図】図１
2011028269.tif 000002
【特許請求の範囲】
【請求項１】
表示装置の表示マトリックスのサブマトリックスを更新するための表示装置の駆動方法
であって、
前記表示マトリックスの最初の行から出発して前記表示マトリックスの行を順次選択す
るステップと、
前記選択された行が２つまたはそれ以上の駆動フレームを有する波形の第１の駆動フレ
ーム中の前記サブマトリックスの第１の行に先行するかどうかを判定するステップと、
前記選択された行が前記波形の前記第１の駆動フレーム中の前記サブマトリックスの前
記第１の行に先行するという条件が偽であるときに、前記選択された行を第１のラインア
ドレス期間に対してアドレス指定するステップと、
前記選択された行が前記波形の前記第１の駆動フレーム中の前記サブマトリックスの前
記第１の行に先行するという条件が真であるときに、前記選択された行を第２のラインア
ドレス期間に対してアドレス指定するステップとを含む表示装置の駆動方法。
【請求項２】
前記表示装置は、２つまたはそれ以上の安定した表示状態を有する表示画素を有するア
クティブマトリックスの電気光学表示装置であって、各前記表示画素は、その表示状態を
変更するために規則的に時間間隔を置かれた一連の電圧パルスを必要とする請求項１に記
載の表示装置の駆動方法。
【請求項３】
前記表示マトリックスの前記最初の行は、前記サブマトリックスの前記第１の行として
指定される請求項１又は２に記載の表示装置の駆動方法。
【請求項４】
前記第１のラインアドレス期間は、前記波形の駆動パルスの長さよりも長い期間である
請求項１乃至３のいずれかに記載の表示装置の駆動方法。
【請求項５】
前記第２のラインアドレス期間は、前記波形の駆動パルスの長さよりも短い期間である
請求項１乃至４のいずれかに記載の表示装置の駆動方法。
【請求項６】
前記選択された行が前記波形の最終駆動フレーム中の前記サブマトリックスの最終行に
後続するかどうかを判定するステップと、
前記選択された行が前記波形の最終駆動フレーム中の前記サブマトリックスの最終行に
後続するという条件が偽であるときに、前記選択された行を第１のラインアドレス期間に
対してアドレス指定するステップと、
前記選択された行が前記波形の最終駆動フレーム中の前記サブマトリックスの最終行に
後続するという条件が真であるときに、前記選択された行を第２のラインアドレス期間に
対してアドレス指定するステップとをさらに含む請求項１乃至５のいずれかに記載の表示
装置の駆動方法。
【請求項７】
前記表示マトリックスの最終行は、前記サブマトリックスの前記最終行として指定され
る請求項６に記載の表示装置の駆動方法。
【請求項８】
前記選択された行を第１のラインアドレス期間に対して前記アドレス指定するステップ
は、前記選択された行が前記サブマトリックスの行であるときに、前記行がアドレス指定
されている間に前記行の１つまたはそれ以上の前記表示画素に画素データを駆動するステ
ップを含む請求項１乃至７のいずれかに記載の表示装置の駆動方法。
【請求項９】
前記選択された行を第２のラインアドレス期間に対して前記アドレス指定するステップ
は、前記行がアドレス指定されている間に前記行の前記表示画素から画素データを取除く
ステップを含む請求項１乃至８のいずれかに記載の表示装置の駆動方法。
【請求項１０】
第１のユニットを含む表示コントローラーであって、
前記第１のユニットは、
表示装置に信号を送って、表示マトリックスの最初の行から出発して前記表示マトリック
スの行を順次選択し、
前記選択された行が２つまたはそれ以上の駆動フレームを有する波形の第１の駆動フレ
ーム中の前記サブマトリックスの第１の行に先行するかどうかを判定し、
前記選択された行が前記波形の前記第１の駆動フレーム中の前記サブマトリックスの前
記第１の行に先行するという条件が偽であるときに、前記表示装置に信号を送って、前記
選択された行を第１のラインアドレス期間に対してアドレス指定し、
前記選択された行が前記波形の前記第１の駆動フレーム中の前記サブマトリックスの前
記第１の行に先行するという条件が真であるときに、前記表示装置に信号を送って、前記
選択された行を第２のラインアドレス期間に対してアドレス指定するものである、表示コ
ントローラー。
【請求項１１】
前記表示装置は、２つまたはそれ以上の安定した表示状態を有する表示画素を有するア
クティブマトリックスの電気光学表示装置であって、各前記表示画素は、その表示状態を
変更するために規則的に時間間隔を置かれた一連の電圧パルスを必要とする請求項１０に
記載の表示コントローラー。
【請求項１２】
前記表示マトリックスの前記最初の行は、前記サブマトリックスの前記第１の行として
指定される請求項１０又は１１に記載の表示コントローラー。
【請求項１３】
前記第１のユニットは、前記選択された行が前記波形の最終駆動フレーム中の前記サブ
マトリックスの最終行に後続するかどうかを判定するために動作可能であり、
前記選択された行が前記波形の最終駆動フレーム中の前記サブマトリックスの前記最終
行に後続するという条件が偽であるときに、前記第１のユニットは、前記選択された行を
前記第１のラインアドレス期間に対してアドレス指定するために動作可能であり、
前記選択された行が前記波形の最終駆動フレーム中の前記サブマトリックスの前記最終
行に後続するという条件が真であるときに、前記第１のユニットは、前記選択された行を
前記第２のラインアドレス期間に対してアドレス指定するために動作可能である請求項１
０乃至１２のいずれかに記載の表示コントローラー。
【請求項１４】
前記表示マトリックスの最終行は、前記サブマトリックスの前記最終行として指定され
る請求項１３に記載の表示コントローラー。
【請求項１５】
前記第１のユニットは、前記第２のラインアドレス期間に対してアドレス指定された行
の前記表示画素から前記表示装置が画素データを取除くようにさせるためにさらに動作可
能である請求項１０乃至１４のいずれかに記載の表示コントローラー。
【請求項１６】
前記第２のラインアドレス期間は、前記波形の駆動パルスの長さよりも短い期間である
請求項１０乃至１５のいずれかに記載の表示コントローラー。
【請求項１７】
前記第１のユニットは、前記表示装置に前記表示マトリックスの特定の行アドレスを与
えるために動作可能であり、前記特定の行アドレスは前記表示マトリックスの行を定め、
前記表示装置は、前記特定の行アドレスを受取って、前記特定の行アドレスに対応する
前記表示マトリックスの行をアドレス指定するために動作可能である請求項１０乃至１６
のいずれかに記載の表示コントローラー。
【請求項１８】
複数の表示画素を有する表示マトリックスと、行ドライバーとを有するアクティブマト
リックスの電気光学表示装置であって、
前記表示画素の各々は２つまたはそれ以上の安定した表示状態を有するとともに、前記
各表示画素はその表示状態を変更するために規則的に時間間隔を置かれた一連の電圧パル
スを必要とするものであり、
前記行ドライバーは、前記表示マトリックスのあらゆる行アドレスを受取り、前記受取っ
た行アドレスに対応する前記表示マトリックスの行をアドレス指定するために動作可能で
あるアクティブマトリックスの電気光学表示装置。
【発明の詳細な説明】
【技術分野】
【０００１】
本出願は、表示装置を駆動することに関する。より特定的には、本出願は、複数の駆動
フレームにおいて更新される表示装置を駆動する分野に関する。
【背景技術】
【０００２】
電気光学材料は少なくとも２つの「表示状態」を有し、それらの状態は少なくとも１つ
の光学特性が異なっている。電気光学材料は、その材料に電界を印加することによって、
１つの状態から別の状態へと変化し得る。光学特性は人の目に知覚可能であってもなくて
もよく、光の透過、反射率、または発光を含んでもよい。たとえば、光学特性は知覚可能
な色またはグレーの色調であってもよい。
【０００３】
電気光学表示は、回転二色部材（ｒｏｔａｔｉｎｇ  ｂｉｃｈｒｏｍａｌ  ｍｅｍｂｅ
ｒ）、エレクトロクロミック媒体、液滴駆動（ｅｌｅｃｔｒｏ−ｗｅｔｔｉｎｇ）、およ
び粒子ベースの電気泳動型を含む。電気泳動表示（Ｅｌｅｃｔｒｏｐｈｏｒｅｔｉｃ  ｄ
ｉｓｐｌａｙ）（「ＥＰＤ」）装置は、しばしば「電子ペーパー」装置と呼ばれ、いくつ
かの異なるタイプの電気光学技術の１つを利用し得るものである。粒子ベースの電気泳動
媒体は流体を含み、この流体は液体または気体状の流体のいずれであってもよい。さまざ
まなタイプの粒子ベースのＥＰＤ装置は、カプセル化された電気泳動媒体、ポリマー分散
電気泳動媒体、および微孔質の媒体を使用するものを含む。ＥＰＤに類似した別の電気光
学表示タイプは、誘電泳動表示である。
【０００４】
一般的に、画像は、多数の小さな個々の画素（「表示画素」）の表示状態を個々に制御
することによって、電気光学表示装置上に形成される。表示画素の特定の表示状態を定め
る１つまたはそれ以上のビットのデータは「データ画素」と呼ばれることがある。画像は
データ画素によって定められ、「フレーム」と呼ばれることがある。一般的に、表示画素
は行列に配置されてマトリックス（「表示マトリックス」）を形成する。例示的な電気光
学表示画素は、共通電極と画素電極との間に位置する電気光学材料の層を含む。電極の１
つ、典型的には共通電極が透過性であってもよい。各表示画素において、共通電極と画素
電極とはともに平行平板コンデンサーを形成し、電極間に電位差が存在するときには、そ
れらの電極間にある電気光学材料は、結果的に得られる電界を受ける。
【０００５】
電気光学表示は、アクティブマトリックス型またはパッシブマトリックス型のいずれで
あってもよい。アクティブマトリックス電気光学表示では、行選択ライン上に選択信号を
駆動し、同時に列データライン上に光学特性依存性の信号を駆動することによって、表示
マトリックス中のあらゆる特定の表示画素がアドレス指定されてもよい。しかし、表示画
素の表示状態を変えるために、特定のタイプの表示装置は、規則的に時間間隔を置かれた
一連の電圧パルスによって画素電極を時間とともに駆動することを必要とする。すなわち
、表示画素は波形によって駆動される。これらの表示装置における特定の表示画素のアド
レス指定は、表示画素の表示状態を変化させるために用いられる波形のタイミング要求に
従って行なわれなければならない。したがって、波形によって駆動される表示画素を有す
るアクティブマトリックス電気光学表示装置の使用は、アクティブマトリックスのアドレ
ス指定機能が波形のタイミング要求と一致して使用されることを必要とする（例えば特許
文献１参照）。
【０００６】
電気光学表示装置は、複数の安定した表示状態を有する表示画素を有してもよい。この
カテゴリーの表示装置は（ａ）複数の表示状態を表示でき、（ｂ）その表示状態は安定で
あると考えられる。（ａ）に関して、複数の安定した表示状態を有する表示装置は、当該
技術分野において「双安定」と呼ばれることがある電気光学表示を含む。双安定表示の表
示画素は、第１および第２の安定した表示状態を有する。第１および第２の表示状態は、
少なくとも１つの光学特性、たとえば知覚可能な色またはグレーの色調などにおいて異な
る。たとえば、第１の表示状態において表示画素は黒く見えてもよく、第２の表示状態に
おいて表示画素は白く見えてもよい。加えて、複数の安定した表示状態を有する表示装置
は、２つよりも多い安定した表示状態を有する表示画素を有する装置を含む。複数の表示
状態の各々は、少なくとも１つの光学特性、たとえば特定の色の明るい色調、中間の色調
、および暗い色調などにおいて異なる。別の例として、複数の安定した状態を有する表示
装置は、４、８、１６、３２または６４の異なるグレー色調に対応する表示状態を有する
表示画素を有していてもよい。
【０００７】
（ｂ）に関して、表示画素の駆動時間に関する表示状態の持続性が十分に大きければ、
１つの定義に従って、表示装置の複数の表示状態は安定であると考えられてもよい。表示
画素の表示状態は、所望の外観が得られるまで表示画素に電圧を駆動することによって変
えられてもよい。代替的には、表示画素の表示状態は、規則的に時間間隔を置かれた一連
の電圧パルスを駆動することによって変えられてもよい。いずれの場合においても、表示
画素は、駆動時間の終わりにおいて新しい表示状態を示す。新しい表示状態が、駆動時間
の最低持続時間の少なくとも数倍持続すれば、その新しい表示状態は安定であると考えら
れてもよい。通常当該技術において、ＬＣＤおよびＣＲＴの表示画素の表示状態は安定と
は考えられない。
【先行技術文献】
【特許文献】
【０００８】
【特許文献１】米国特許第７１９３６２５号明細書
【発明の概要】
【発明が解決しようとする課題】
【０００９】
一般的に、複数の安定した表示状態を有する電気光学表示、特にＥＰＤ装置の重要な利
点は、一旦表示画素が特定の表示状態に置かれると、表示画素は電力を引くことなくその
表示状態を長期間（最低で１分またはそれ以上、最高で数時間、数日間、数ヶ月間または
それ以上）にわたって維持することである。与えられた画像の外観の変更が望まれるとき
、または与えられた画像の輝度が所望のレベルより低く減少した後には、ＥＰＤ装置はリ
フレッシュされるだけでよい。これとは対照的に、他のタイプの表示技術はもっと短期間
にわたってその表示状態を維持する。たとえば、液晶ディスプレイ（ｌｉｑｕｉｄ  ｃｒ
ｙｓｔａｌ  ｄｉｓｐｌａｙ）（「ＬＣＤ」）の表示画素は、その光学的外観を１秒未満
維持する。しかし、ＬＣＤなどの他の表示技術と比較すると、ＥＰＤ装置は表示画素に新
しい表示状態を取らせるために比較的長い駆動時間を必要とする。よって、ＥＰＤ装置に
与えられた画像を変更することは、所望よりも長い時間がかかることがある。
【００１０】
したがって、複数の安定した表示状態を有する表示画素を有し、各表示画素がその表示
状態を変えるために規則的に時間間隔を置かれた一連の電圧パルスを必要とするような電
気光学表示装置を更新するための、効率的な方法および装置が必要とされる。
【課題を解決するための手段】
【００１１】
本発明の表示装置の駆動方法は、表示装置の表示マトリックスのサブマトリックスを更
新するための表示装置の駆動方法であって、
前記表示マトリックスの最初の行から出発して前記表示マトリックスの行を順次選択す
るステップと、
前記選択された行が２つまたはそれ以上の駆動フレームを有する波形の第１の駆動フレ
ーム中の前記サブマトリックスの第１の行に先行するかどうかを判定するステップと、
前記選択された行が前記波形の前記第１の駆動フレーム中の前記サブマトリックスの前
記第１の行に先行するという条件が偽であるときに、前記選択された行を第１のラインア
ドレス期間に対してアドレス指定するステップと、
前記選択された行が前記波形の前記第１の駆動フレーム中の前記サブマトリックスの前
記第１の行に先行するという条件が真であるときに、前記選択された行を第２のラインア
ドレス期間に対してアドレス指定するステップとを含むことを特徴とする。
【００１２】
また、本発明の表示装置の駆動方法において、前記表示装置は、２つまたはそれ以上の
安定した表示状態を有する表示画素を有するアクティブマトリックスの電気光学表示装置
であって、各前記表示画素は、その表示状態を変更するために規則的に時間間隔を置かれ
た一連の電圧パルスを必要とすることを特徴とする。
【００１３】
また、本発明の表示装置の駆動方法において、前記表示マトリックスの前記最初の行は
、前記サブマトリックスの前記第１の行として指定されることを特徴とする。
【００１４】
また、本発明の表示装置の駆動方法において、前記第１のラインアドレス期間は、前記
波形の駆動パルスの長さよりも長い期間であることを特徴とする。
【００１５】
また、本発明の表示装置の駆動方法において、前記第２のラインアドレス期間は、前記
波形の駆動パルスの長さよりも短い期間であることを特徴とする。
【００１６】
また、本発明の表示装置の駆動方法において、前記選択された行が前記波形の最終駆動
フレーム中の前記サブマトリックスの最終行に後続するかどうかを判定するステップと、
前記選択された行が前記波形の最終駆動フレーム中の前記サブマトリックスの最終行に
後続するという条件が偽であるときに、前記選択された行を第１のラインアドレス期間に
対してアドレス指定するステップと、
前記選択された行が前記波形の最終駆動フレーム中の前記サブマトリックスの最終行に
後続するという条件が真であるときに、前記選択された行を第２のラインアドレス期間に
対してアドレス指定するステップとをさらに含むことを特徴とする。
【００１７】
また、本発明の表示装置の駆動方法において、前記表示装置は、２つまたはそれ以上の
安定した表示状態を有する表示画素を有するアクティブマトリックスの電気光学表示装置
であって、各前記表示画素は、その表示状態を変更するために規則的に時間間隔を置かれ
た一連の電圧パルスを必要とする。
【００１８】
また、本発明の表示装置の駆動方法において、前記表示マトリックスの最終行は、前記
サブマトリックスの前記最終行として指定されることを特徴とする。
【００１９】
また、本発明の表示装置の駆動方法において、前記選択された行を第１のラインアドレ
ス期間に対して前記アドレス指定するステップは、前記選択された行が前記サブマトリッ
クスの行であるときに、前記行がアドレス指定されている間に前記行の１つまたはそれ以
上の前記表示画素に画素データを駆動するステップを含むことを特徴とする。
【００２０】
また、本発明の表示装置の駆動方法において、前記第１のラインアドレス期間は、前記
波形の駆動パルスの長さよりも長い期間であることを特徴とする。
【００２１】
また、本発明の表示装置の駆動方法において、前記選択された行を第２のラインアドレ
ス期間に対して前記アドレス指定するステップは、前記行がアドレス指定されている間に
前記行の前記表示画素から画素データを取除くステップを含むことを特徴とする。
【００２２】
また、本発明の表示装置の駆動方法において、前記第２のラインアドレス期間は、前記
波形の駆動パルスの長さよりも短い期間であることを特徴とする。
【００２３】
ここで、本発明の表示コントローラーは、第１のユニットを含む表示コントローラーで
あって、
前記第１のユニットは、
表示装置に信号を送って、表示マトリックスの最初の行から出発して前記表示マトリック
スの行を順次選択し、
前記選択された行が２つまたはそれ以上の駆動フレームを有する波形の第１の駆動フレ
ーム中の前記サブマトリックスの第１の行に先行するかどうかを判定し、
前記選択された行が前記波形の前記第１の駆動フレーム中の前記サブマトリックスの前
記第１の行に先行するという条件が偽であるときに、前記表示装置に信号を送って、前記
選択された行を第１のラインアドレス期間に対してアドレス指定し、
前記選択された行が前記波形の前記第１の駆動フレーム中の前記サブマトリックスの前
記第１の行に先行するという条件が真であるときに、前記表示装置に信号を送って、前記
選択された行を第２のラインアドレス期間に対してアドレス指定するものであることを特
徴とする。
【００２４】
また、本発明の表示コントローラーにおいて、前記表示装置は、２つまたはそれ以上の
安定した表示状態を有する表示画素を有するアクティブマトリックスの電気光学表示装置
であって、各前記表示画素は、その表示状態を変更するために規則的に時間間隔を置かれ
た一連の電圧パルスを必要とすることを特徴とする。
【００２５】
また、本発明の表示コントローラーにおいて、前記表示マトリックスの前記最初の行は
、前記サブマトリックスの前記第１の行として指定されることを特徴とする。
【００２６】
また、本発明の表示コントローラーにおいて、前記第１のユニットは、前記選択された
行が前記波形の最終駆動フレーム中の前記サブマトリックスの最終行に後続するかどうか
を判定するために動作可能であり、
前記選択された行が前記波形の最終駆動フレーム中の前記サブマトリックスの前記最終
行に後続するという条件が偽であるときに、前記第１のユニットは、前記選択された行を
前記第１のラインアドレス期間に対してアドレス指定するために動作可能であり、
前記選択された行が前記波形の最終駆動フレーム中の前記サブマトリックスの前記最終
行に後続するという条件が真であるときに、前記第１のユニットは、前記選択された行を
前記第２のラインアドレス期間に対してアドレス指定するために動作可能であることを特
徴とする。
【００２７】
また、本発明の表示コントローラーにおいて、前記表示装置は、２つまたはそれ以上の
安定した表示状態を有する表示画素を有するアクティブマトリックスの電気光学表示装置
であって、各前記表示画素は、その表示状態を変更するために規則的に時間間隔を置かれ
た一連の電圧パルスを必要とすることを特徴とする。
【００２８】
また、本発明の表示コントローラーにおいて、前記表示マトリックスの最終行は、前記
サブマトリックスの前記最終行として指定されることを特徴とする。
【００２９】
また、本発明の表示コントローラーにおいて、前記第１のユニットは、前記第２のライ
ンアドレス期間に対してアドレス指定された行の前記表示画素から前記表示装置が画素デ
ータを取除くようにさせるためにさらに動作可能であることを特徴とする。
【００３０】
また、本発明の表示コントローラーにおいて、前記第２のラインアドレス期間は、前記
波形の駆動パルスの長さよりも短い期間であることを特徴とする。
【００３１】
また、本発明の表示コントローラーにおいて、前記第１のユニットは、前記表示装置に
前記表示マトリックスの特定の行アドレスを与えるために動作可能であり、前記特定の行
アドレスは前記表示マトリックスの行を定め、
前記表示装置は、前記特定の行アドレスを受取って、前記特定の行アドレスに対応する
前記表示マトリックスの行をアドレス指定するために動作可能であることを特徴とする。
【００３２】
さらに、本発明のアクティブマトリックスの電気光学表示装置は、複数の表示画素を有
する表示マトリックスと、行ドライバーとを有するアクティブマトリックスの電気光学表
示装置であって、
前記表示画素の各々は２つまたはそれ以上の安定した表示状態を有するとともに、前記
各表示画素はその表示状態を変更するために規則的に時間間隔を置かれた一連の電圧パル
スを必要とするものであり、
前記行ドライバーは、前記表示マトリックスのあらゆる行アドレスを受取り、前記受取
った行アドレスに対応する前記表示マトリックスの行をアドレス指定するために動作可能
であることを特徴とする。
【図面の簡単な説明】
【００３３】
【図１】表示装置、表示コントローラー、および表示メモリーを有する例示的な表示システムのブロック図である。
【図２】図１の表示装置の模式図である。
【図３】図１の代替的な表示装置の模式図である。
【図４】図１の表示装置の表示画素の例示的な表示マトリックス２６の模式図である。
【図５】例示的な表示装置の一部を示す図である。
【図６】表示装置の表示画素を表示状態に遷移させるために用いられてもよい例示的な波形を示す。
【図７】図１の表示コントローラーのブロック図である。
【図８】図１の表示メモリーおよび例示的なデータ経路のブロック図である。
【図９】実施形態の１つに従って画像を表示するかまたは現在表示される画像を更新するためのプロセスを示すフロー図である。
【図１０】実施形態の１つに従った画素合成動作を示すフロー図である。
【図１１】実施形態の１つに従って更新パイプに駆動パルスデータを保存するための動作フローを示すフロー図である。
【図１２】実施形態の１つに従って、部分的表示更新において表示電力モジュールおよび表示装置に波形データを与えるためのフロー図である。
【図１３】実施形態の１つに従って、部分的表示更新の第１の駆動フレームにおいて表示電力モジュールおよび表示装置に波形データを与えるための例示的な動作フローを示す図である。
【図１４】実施形態の１つに従って、部分的表示更新の最終駆動フレームにおいて表示電力モジュールおよび表示装置に波形データを与えるための例示的な動作フローを示す。
【図１５】波形の一連の駆動フレームに適用された図１３の動作フローを示す。
【図１６】１つの代替的な実施形態に従う表示装置を示し、この表示装置はあらゆる所望の行選択ラインをアドレス指定するために動作可能であり、かつ２つまたはそれ以上のレジスターを含む。
【図１７】図１６のレジスターの１つの内部論理を示す図である。
【図１８】実施形態の１つに従った部分的表示更新のための動作フローを示す図である。
【発明を実施するための形態】
【００３４】
以下の例示的な実施形態の詳細な説明においては、本出願の一部を形成する添付の図面
を参照する。いくつかの図面において、類似の参照数字は類似の構成要素を識別する。詳
細な説明および図面は例示的な実施形態を示す。本明細書に提供される主題の趣旨または
範囲から逸脱することなく、他の実施形態が用いられてもよいし、他の変更が行なわれて
もよい。したがって、以下の詳細な説明は限定的な意味で取られるべきではなく、請求さ
れる主題の範囲は添付の請求項によって定められる。
【００３５】
図１は、実施形態が実行され得る１つの状況を示す例示的な表示システム２０のブロッ
ク図を示す。実施形態は他の状況においても実行され得る。システム２０は、ホスト２２
と、表示マトリックス２６を有する表示装置２４と、表示コントローラー２８と、システ
ムメモリー３０とを含む。システム２０はさらに、表示メモリー３２と、波形メモリー３
４と、温度センサー３６と、表示電力モジュール３８とを含む。加えてシステム２０は、
第１のバス１８、バス５０、およびシステム構成要素を相互接続する図示されたバスを含
む。システム２０は、あらゆるデジタルシステムまたは機器であってもよい。実施形態の
１つにおいて、システム２０は、電池により電力供給される（図示せず）携帯機器、たと
えば電子リーダーなどである。図１は、開示される実施形態の理解のために役立つと思わ
れるシステム２０の局面のみを示しており、多数の他の局面は省略されている。
【００３６】
ホスト２２は、動作を行なうためにあらゆるコンピューター読取可能なタイプの命令を
実行する、一般的な目的のマイクロプロセッサー、デジタル信号プロセッサー、コントロ
ーラー、コンピューター、またはあらゆるその他のタイプの装置、回路もしくは論理であ
ってもよい。ホストまたはマスターとして機能できるあらゆるタイプの装置が、実施形態
の範囲内にあるものとして予期される。
【００３７】
実施形態の１つにおいて、表示装置２４は、複数の安定した表示状態を有する表示画素
を有する電気光学表示装置であってもよく、個々の表示画素は、一連の２つまたはそれ以
上の駆動パルスによって現在の表示状態から新しい表示状態へと駆動される。表示装置２
４は、アクティブマトリックス表示装置であってもよい。実施形態の１つにおいて、表示
装置２４は、流体中に懸濁した１つまたはそれ以上のタイプの帯電した粒子を含む表示画
素を有するアクティブマトリックスの粒子ベースの電気泳動表示装置であってもよく、表
示画素に電界を印加して流体中の粒子の移動をもたらすことによって、表示画素の光学的
外観を変更できる。
【００３８】
実施形態の１つにおいて、表示コントローラー２８は、システム２０の他の素子から分
離された集積回路（ｉｎｔｅｇｒａｔｅｄ  ｃｉｒｃｕｉｔ）（「ＩＣ」）に配置されて
もよい。代替的な実施形態では、表示コントローラー２８は分離したＩＣに組み入れられ
る必要はない。実施形態の１つでは、表示コントローラー２８は、システム２０の１つま
たはそれ以上の他の素子の中に、またはその素子とともに集積化されてもよい。表示コン
トローラー２８を以下にさらに説明する。
【００３９】
システムメモリー３０は、ＳＲＡＭ、ＶＲＡＭ、ＳＤＲＡＭ、ＤＤＲＤＲＡＭ、ＳＤＲ
ＡＭ、ＤＲＡＭ、フラッシュ、ハードディスク、またはあらゆるその他の好適なメモリー
であってもよい。システムメモリーは、ホスト２２が動作を行なうために読出して実行し
得る命令を保存してもよい。システムメモリーはデータも保存してもよい。
【００４０】
表示メモリー３２は、ＳＲＡＭ、ＶＲＡＭ、ＳＤＲＡＭ、ＤＤＲＤＲＡＭ、ＳＤＲＡＭ
、ＤＲＡＭ、フラッシュ、ハードディスク、またはあらゆるその他の好適なメモリーであ
ってもよい。表示メモリー３２は別個のメモリーユニット（点線で示す）、たとえば別個
のＩＣなどであってもよいし、図１に示されるとおり表示コントローラー２８に埋め込ま
れたメモリーであってもよい。１つの代替形において、表示メモリー３２は別個のメモリ
ーと埋め込まれたメモリーとの組合せであってもよい。表示メモリー３２は、１フレーム
の画素データおよび１フレームの合成画素データを保存するために用いられてもよい。実
施形態の１つにおいては、１フレームの画素データおよび１フレームの合成画素データの
みを保存できるように表示メモリー３２のサイズが制限される。実施形態の１つにおいて
、表示メモリー３２はデータまたは命令を保存してもよい。
【００４１】
波形メモリー３４は、フラッシュメモリー、ＥＰＲＯＭ、ＥＥＰＲＯＭ、またはあらゆ
るその他の好適な不揮発性メモリーであってもよい。実施形態の１つにおいて、メモリー
３４は揮発性メモリーであってもよい。波形メモリー３４は１つまたはそれ以上の異なる
駆動スキームを保存してもよく、各駆動スキームは表示画素を新しい表示状態に駆動する
ために用いられる１つまたはそれ以上の波形を含んでもよい。波形メモリー３４は波形の
２つまたはそれ以上の組を含んでもよく、各組は２つまたはそれ以上の更新モードのうち
の特定の１つとともに用いるためのものであってもよい。波形メモリー３４は１つまたは
それ以上の温度において用いるために好適な波形を含んでもよい。波形メモリー３４は直
列または並列のバスを介して表示コントローラー２８と結合されてもよい。実施形態の１
つにおいて、波形メモリー３４はデータまたは命令を保存してもよい。
【００４２】
表示画素の表示状態を新しい表示状態に変えるために必要な波形は、温度およびその他
の要素に依存してもよい。温度を定めるために温度センサー３６が設けられる。温度セン
サー３６は、集積されたシグマデルタ（Ｓｉｇｍａ  Ｄｅｌｔａ）アナログ−デジタル変
換器を有するデジタル温度センサーまたはあらゆるその他の好適なデジタル温度センサー
であってもよい。実施形態の１つにおいて、温度センサー３６はＩ2Ｃインターフェイス
を含み、このＩ2Ｃインターフェイスを介して表示コントローラー２８に結合される。温
度センサー３６は、表示装置２４の表示画素の実際の温度に近い温度測定値を得るために
好適な場所に取付けられてもよい。温度センサー３６は、波形の選択に用いられ得る温度
データを与えるために表示コントローラー２８に結合されてもよい。
【００４３】
電力モジュール３８は表示コントローラー２８および表示装置２４に結合される。電力
モジュール３８は別個のＩＣであってもよい。電力モジュール３８は表示コントローラー
２８から制御信号を受取って、表示装置の選択される表示画素を駆動するために適切な電
圧（または電流）を生成する。実施形態の１つにおいて、電力管理ユニット３８は＋１５
Ｖ、−１５Ｖ、または０Ｖの電圧を生成してもよい。駆動パルスが必要でないときには、
電力モジュール３８はパワーダウンされるかまたは待機モードに置かれてもよい。
【００４４】
図２は、実施形態の１つに従う表示装置２４の概略図である。いくつかの個別の画素（
「表示画素」）４０の表示状態を個々に制御することによって、表示装置２４に画像が形
成されてもよい。表示装置２４は表示画素４０の表示マトリックス２６を含む。実施形態
の１つにおいて、各表示画素４０は、たとえば薄膜トランジスターなどのアクティブスイ
ッチング素子（図２には示さず）を含む。スイッチング素子は、行ドライバー４２（ゲー
トドライバーと呼ばれることもある）および列ドライバー４４（ソースドライバーと呼ば
れることもある）によってアドレス指定および駆動される。行またはゲートドライバー４
２は内部カウンターを含んでもよい。行ドライバー４２にクロックパルス（例、鉛直線シ
フトクロック）を印加してもよい。クロックパルスによって、行ドライバー４２は内部カ
ウンターを増分（または減分）する。実施形態の１つにおいて、行ドライバー４２は、内
部カウンターのカウントに対応する行選択ライン４６をアドレス指定（または選択）する
。よって、一連のクロック信号を与えることによって、行ドライバーに連続的な行選択ラ
イン４６をアドレス指定させてもよい。行ドライバー４２が行選択ライン４６の１つをア
ドレス指定するとき、それはすべてのスイッチング素子、たとえば表示マトリックス２６
の対応する行におけるすべてのトランジスターなどをオンにする。行がアドレス指定され
ている間に、列ドライバー４４は１つまたはそれ以上の列データライン４８に駆動パルス
を与えてもよい。
【００４５】
表示装置２４は１つまたはそれ以上のバス５０を介して表示コントローラー２８に結合
されてもよく、表示コントローラーはこのバスを用いて画素データおよび制御信号を表示
装置に与えてもよい。表示画素４０の表示状態は１ビットまたはそれ以上のデータによっ
て定められ、このデータは「データ画素」と呼ばれることがある。画像はデータ画素によ
って定められ、「フレーム」と呼ばれることがある。一般的に、表示画素は行列に配置さ
れてマトリックス（「表示マトリックス」）２６を形成する。フレームのデータ画素と対
応する表示マトリックス２６の表示画素４０とは１対１で対応している。
【００４６】
図３は、１つの代替的な実施形態に従う表示装置２４の模式図である。図３に示される
表示装置２４は、２つの行ドライバー４２ａおよび４２ｂを含む。代替的な実施形態にお
いて、２つより多くの行ドライバーが使用されてもよい。表示マトリックス２６が単一の
行ドライバーで利用可能な駆動出力の特定の数よりも多くの行を有するときに、２つまた
はそれ以上の行ドライバーが用いられてもよい。２つまたはそれ以上のゲートドライバー
が用いられるとき、それらはデイジーチェーン配線配置４５でカスケードにされてもよい
。
【００４７】
図４は、表示画素４０の例示的な表示マトリックス２６の概略図を示す。表示装置２４
は、画素データのフレームを表示するために表示画素４０の表示マトリックス２６を含む
。表示マトリックス２６は表示画素のあらゆる数の行および列を含んでもよい。一例とし
て、表示マトリックスは４８０行および６４０列を含む。表示マトリックス２６は第１の
行Ｒ１と、最後または最終行Ｒｎとを含む。表示マトリックス２６は１つまたはそれ以上
のサブマトリックス５２を含んでもよい。この記載において、表示サブマトリックス５２
は、部分的表示更新動作においてリフレッシュまたは更新される表示マトリックス２６の
領域を示すために用いられることがある。サブマトリックス５２は第１の行Ｒ８と、最後
または最終行Ｒ１１とを含む。１つまたはそれ以上のサブマトリックス５２の各々は、新
しい表示状態にリフレッシュまたは更新されるべき１つまたはそれ以上の表示画素を含む
。表示サブマトリックス５２は、たとえばポップアップメニュー、カーソルまたはダイア
ログボックスなどのあらゆる画像を定めてもよい。
【００４８】
表示装置２４の表示マトリックス２６の表示画素４０は、複数の安定した状態を有して
もよい。実施形態の１つにおいて、表示装置２４は３つまたはそれ以上の安定した表示状
態を有する表示画素４０を有する表示装置であり、各表示状態は少なくとも１つの光学特
性において異なる。１つの代替的な実施形態において、表示装置２４は、第１および第２
の安定した表示状態を有する表示画素４０を有する双安定表示装置であり、各状態は少な
くとも１つの光学特性において他方と異なる。表示画素４０の表示状態は駆動時間に関し
て持続性であってもよい。実施形態の１つにおいて、表示画素４０の表示状態は駆動時間
の最低持続時間の少なくとも２倍または３倍持続する。加えて、実施形態の１つにおいて
、表示画素４０の表示状態を現在の表示状態から新しい表示状態に変えるために必要な電
圧パルスは、現在の表示状態に強く依存する。
【００４９】
実施形態の１つにおいて、表示装置２４は共通電極と画素電極との間に位置する電気光
学材料の層を含む。電極の１つ、典型的には共通電極が透過性であってもよい。共通電極
と画素電極とはともに平行平板コンデンサーを形成し、電極間に電位差が存在するときに
は、それらの電極間にある電気光学材料は、結果的に得られる電界を受ける。
【００５０】
図５は、共通電極と画素電極との間に配置された１つのタイプの電気泳動媒体、アクテ
ィブマトリックスの１つのタイプの非線形回路素子、ならびに行および列駆動回路の例示
的な配置の１つを示す図である。特に図５は、例示的な電気泳動表示２６の一部の簡略化
した断面図と、関連する非線形回路素子の一部の概略図と、行および列駆動回路４２、４
４のブロック図とを含む。図５を参照すると、１つまたはそれ以上のマイクロカプセル５
４が共通電極５６と画素電極５８との間に挟まれている。共通電極５６は透過性であって
もよい。薄膜トランジスター６０のドレイン末端は、それぞれの画素電極５８に結合され
る。薄膜トランジスター６０のゲート末端は、行選択ライン４６を介して行ドライバー４
２に結合される。薄膜トランジスター６０のソース末端は、それぞれの列データライン４
８を介して列ドライバー４４に結合される。各表示画素は、図５に示されるとおりに１つ
のマイクロカプセル５４に対応してもよいし、２つまたはそれ以上のマイクロカプセル（
図示せず）に対応してもよい。各マイクロカプセル５４は、流体６１に懸濁された正に帯
電した白い粒子６２と、負に帯電した黒い粒子６４とを含んでもよい。
【００５１】
表示画素４０の表示状態を変えるために、共通電極５６はグランドまたは何らかの他の
好適な電圧にされ、行ドライバー回路４２は行選択ライン４６上に好適な電圧を駆動する
ことによって行の１つのすべてのトランジスター６０をオンにする。特定の行におけるす
べてのトランジスターをオンにすることを、本明細書においては行の「アドレス指定」ま
たは「選択」と呼ぶことがある。列ドライバー回路４４は、次いで表示状態を変えた表示
画素の列データライン４８上に駆動パルスを駆動してもよい。（特定の表示画素４０の表
示状態を変えないとき、列ドライバー回路４４はその特定の表示画素の列データライン４
８上に駆動パルスを駆動する必要はない。）共通および画素電極５６、５８に電荷が蓄積
するにつれて、特定の表示画素に関連するマイクロカプセル５４に電界が確立される。電
界が正であるとき、白い粒子６２が電極５６の方に移動し、その結果表示画素の外観がよ
り白くなる。他方で、電界が負であるとき、黒い粒子６４が電極５６の方に移動し、その
結果表示画素の外観がより黒くなる。マイクロカプセル５４ａは白い表示画素を簡略化し
て示しており、マイクロカプセル５４ｂは黒い表示画素を簡略化して示している。加えて
、マイクロカプセル５４ｃは白または黒以外のグレースケール値を有する、すなわち灰色
の表示画素を示す。行ドライバー回路４２が１つの行の中のすべてのトランジスター６０
をオンにし、次いで列ドライバー回路４４が列データライン４８上に駆動パルスを駆動す
るプロセスは、特定の波形の各駆動パルスに対する規則的な間隔を置いて繰り返されても
よい。
【００５２】
共通および画素電極５６、５８に電荷が保存されている限り、表示画素を横切る電界が
存在して流体中の粒子の移動をもたらす。行ドライバー回路４２がトランジスター６０を
オフにするか、または列ドライバー回路４４が列データライン４８上の駆動パルスの駆動
を停止した後にも、ある期間は共通および画素電極５６、５８に電荷が残ることがあるこ
とが認識される。つまり、電界は瞬時に崩壊せず、コンデンサーによってある期間維持さ
れる。さらに、粒子６２、６４は運動量を有し得る。したがって、表示画素が駆動パルス
によって駆動された後にも流体中の粒子の移動はしばらくの間続くことがある。
【００５３】
単一の時間間隔において所望の表示状態が得られるまで列ドライバーが列データライン
４８上に適切な駆動パルスを印加および保持するようにさせることによって、表示画素の
表示状態が変えられてもよいが、これは実用的でないことが分かっており、表示画素の表
示状態を変えるために一般的には代替的な方法が用いられる。一般的な代替的方法の１つ
は、一連の駆動パルスを経時的に駆動するステップを与える。これらの方法において、表
示マトリックス２６は一連の２つまたはそれ以上の「駆動フレーム」においてリフレッシ
ュまたは更新される。この一連の駆動フレームの各々に対して、各行は１度アドレス指定
されることによって、表示状態を変えるアドレス指定行の各表示画素に列ドライバー４４
が駆動パルスを駆動できるようにする。各行がアドレス指定される持続時間は同じである
ことによって、一連の駆動フレームの各々が同一の持続時間となってもよい。よって、単
一の期間における単一の駆動パルスによって表示画素の表示状態を変える代わりに、表示
状態は一般的に、波形に従って規則的に時間間隔を置かれた一連の期間において一連の駆
動パルスを駆動することによって変更される。
【００５４】
図６は例示的な波形６６を示す。この記載において、「波形」という用語は、ある初期
表示状態から最終表示状態への遷移をもたらすために使用される、規則的に時間間隔を置
かれた一連の期間において発生する一連の駆動パルス全体を示すために用いられ得る。波
形は１つまたはそれ以上の「パルス」または「駆動パルス」を含んでもよく、ここでパル
スまたは駆動パルスとは一般的に時間に関する電圧の積分を示すが、時間に関する電流の
積分を示してもよい。この記載において、「駆動スキーム」という用語は、特定の環境条
件下で特定の表示装置に対する表示状態の間で起こり得るすべての遷移を生じさせるため
に十分な波形の組を示すために用いられてもよい。
【００５５】
波形６６は、波形の特徴を一般的に例示する目的のため、および用語を定義するために
提供される。単一の駆動パルスが駆動される期間は「駆動パルス期間」と呼ばれることが
ある。実施形態の１つにおいて、駆動パルス期間は同一の持続時間である。表示マトリッ
クス２６のすべてのラインが１度アドレス指定される期間は「駆動フレーム期間」と呼ば
れることがある。実施形態の１つにおいて、各駆動フレーム期間は同一の持続時間である
。一連の駆動フレーム期間全体に関連する時間は「波形期間」と呼ばれることがある。表
示画素４０の「駆動時間」は波形期間に等しくてもよい。
【００５６】
表示装置２４は複数の駆動スキームを使用してもよい。たとえば、表示装置２４は、す
べての可能なグレーレベル間の遷移をもたらすために用いられ得るグレースケール駆動ス
キーム（ｇｒａｙ  ｓｃａｌｅ  ｄｒｉｖｅ  ｓｃｈｅｍｅ）（「ＧＳＤＳ」）を用いて
もよい。加えて表示装置２４は、２つのグレーレベル、たとえば黒または白などの間の遷
移のみをもたらすために用いられ得るモノクロ駆動スキーム（ｍｏｎｏｃｈｒｏｍｅ  ｄ
ｒｉｖｅ  ｓｃｈｅｍｅ）（「ＭＤＳ」）を用いてもよい。さらに表示装置２４は、すべ
ての可能なグレーレベルを含む初期状態と、黒または白のいずれかの最終状態とを有する
遷移をもたらすために用いられ得るペン更新モード（ｐｅｎ  ｕｐｄａｔｅ  ｍｏｄｅ）
（「ＰＵ」）を用いてもよい。
【００５７】
図７は、表示コントローラー２８をより詳細に示す。表示コントローラー２８は、表示
メモリー３２と、更新パイプ８４と、タイミング発生ユニット８６と、ホストインターフ
ェイス８７と、画素プロセッサー８８と、更新パイプシーケンサー９０とを含んでもよい
。表示メモリー３２は、ホストインターフェイス８７を介してホスト２２に結合されても
よい。加えて、表示メモリー３２は画素プロセッサー８８および更新パイプシーケンサー
９０に結合されてもよい。代替的な実施形態において、表示コントローラー２８は複数の
更新パイプ８４を含んでもよい。
【００５８】
図８は、実施形態の１つに従う表示メモリー３２をより詳細に示すブロック図であり、
さらに表示メモリー３２と、ホスト２２、画素プロセッサー８８、および更新パイプシー
ケンサー９０との間の例示的なデータ経路を示す図である。実施形態の１つにおいて、表
示メモリー３２は画像バッファー７８および更新バッファー８０を含む。ホスト２２はデ
ータ経路「Ａ」を介して画像バッファー７８に書込んでもよい。（図７には示されていな
いが、ホスト２２は表示メモリー３２から読出してもよい。）画素合成動作において、画
素プロセッサー８８はデータ経路「Ｂ」を介して画像バッファー７８から読出してもよい
。加えて、画素プロセッサー８８はデータ経路「Ｃ」を介して更新バッファー８０からの
読出しおよびそこへの書込みを行なってもよい。表示更新動作において、更新パイプシー
ケンサー９０はデータ経路「Ｄ」を介して更新バッファー８０から読出してもよい。
【００５９】
画像バッファー７８はデータ画素のフレームを保存するために用いられてもよい。更新
バッファー８０は合成画素を保存するために用いられてもよい。実施形態の１つにおいて
、「合成画素」は画素遷移を定めるデータ構造またはデータ記録である。合成画素は、現
在の表示状態と次の表示状態とを定めるデータを含んでもよい。実施形態の１つにおいて
、合成画素は割当てられた更新パイプ８４の識別子を付加的に含んでもよい。
【００６０】
ホスト２２は、データ経路Ａを用いて画像バッファー７８中にデータ画素の完全なフレ
ームまたはデータ画素のフレームの一部を保存してもよい。代替的には、システム２０ま
たは表示コントローラー２８の別のユニットが画像バッファー７８中に１つまたはそれ以
上のデータ画素を保存してもよい。画素プロセッサー８８は合成画素を生成するために動
作可能である。画素プロセッサー８８は、データ経路Ｂを用いて画像バッファー７８中に
保存されたデータ画素を読出して、表示画素４０の次の表示状態を定めるデータを得ても
よい。画素プロセッサー８８は更新バッファー８０中に保存された合成画素を読出して、
表示画素４０の現在の表示状態を定めるデータを得てもよい。画素プロセッサー８８はデ
ータ経路Ｃを用いて合成画素を読出してもよい。画素プロセッサー８８は、画像バッファ
ー７８から得られたデータ画素と更新バッファー８０から得られた合成画素とを用いて新
しい合成画素を生成してもよい。画素プロセッサー８８はデータ経路Ｃを用いて更新バッ
ファー８０に自身が生成した合成画素を保存してもよい。画素プロセッサー８８によって
更新バッファー８０中に合成画素を保存することで、前に保存された合成画素が上書きさ
れてもよい。更新パイプシーケンサー９０は、データ経路Ｄを用いて更新バッファー８０
から合成画素をフェッチしてもよい。
【００６１】
画像を定めるデータ画素４０が画像バッファー７８に保存された後、表示更新動作が行
なわれてもよい。表示更新動作は、表示コントローラー２８に表示更新コマンドが送付、
送信または通信された結果として行なわれてもよい。表示更新コマンドは、ホスト２２も
しくは別の装置によって送られてもよいし、表示コントローラー２８が内部で生成しても
よい。一般的に、表示更新コマンドによって表示マトリックス２６の表示画素４０の表示
状態が更新される。表示更新コマンドに応答して、表示コントローラー２８は以下の動作
を行なう：（ａ）画素合成動作；および（ｂ）表示出力動作。表示出力動作は一般的に、
複数の駆動フレーム期間を含む。
【００６２】
図９は、画像を表示するかまたは現在表示される画像を更新するためのプロセス９００
を示すフロー図である。動作９０２において、データ画素は画像バッファー７８に保存さ
れる。動作９０４において、表示更新コマンドが送付、受信または生成される。動作９０
６において、画素合成動作が行なわれる。動作９０８において、表示出力動作が行なわれ
る。画素合成および表示出力動作は以下にさらに説明される。
【００６３】
図１０は、実施形態の１つに従った画素合成動作１０００を示すフロー図である。画素
合成動作１０００は画素プロセッサー８８によって行なわれてもよい。動作１００２にお
いて、画素バッファー７８からデータ画素が読出されるかまたはフェッチされる。実施形
態の１つに従うと、データ画素は表示マトリックス２６の左上の角のデータ画素４０から
始まるラスター順序で画像バッファー７８から読出されてもよい。動作１００４において
、更新バッファー８０から合成画素が読出されるかまたはフェッチされる。実施形態の１
つに従うと、合成画素は表示マトリックス２６の左上の角のデータ画素に対応する合成画
素から始まるラスター順序で更新バッファー８０から読出されてもよい。動作１００２が
動作１００４の前に行なわれてもよいし、動作１００４が動作１００２の前に行なわれて
もよいし、動作１００２および動作１００４が同時に行なわれてもよい。
【００６４】
動作１００６において、フェッチされたデータ画素が次の画素値と比較される。次の画
素値は動作１００４においてフェッチされた合成画素から得られる。次の画素値は各合成
画素のデータ構造に含まれており、対応する表示画素の次の表示状態を表わす。動作１０
０６はデータ画素と次の画素値とを比較してそれらが等しいかどうかを判定する。それら
の値が等しいとき、すなわち次の表示状態および現在の表示状態が同一であるとき、対応
する表示画素は更新に対してマーク付けされない。他方で、それらの値が異なるとき、す
なわち次の表示状態および現在の表示状態が異なるとき、対応する表示画素は更新に対し
てマーク付けされる。
【００６５】
動作１００８において、新しい合成画素が形成または生成されてもよい。動作１００６
において表示画素が更新に対してマーク付けされなかったときは、新しい合成画素を形成
する必要はない。表示画素が更新に対してマーク付けされたとき、フェッチされた合成画
素（動作１００４）から得られた次の画素値は、新しい合成画素において現在の画素値と
して設定される。フェッチされたデータ画素（動作１００２）の値は、新しい合成画素に
おいて次の画素値として設定される。動作１０１０において、新しい合成画素が更新バッ
ファー８０に戻って書込まれる。動作１０１２によって示されるとおり、実施形態の１つ
に従うと、画素合成動作１０００は表示マトリックス２６中の各画素位置に対して動作１
００２〜１０１０を繰り返す。
【００６６】
図１１は、実施形態の１つに従って更新パイプ８４に駆動パルスデータを保存するため
の動作フロー１１００を示すフロー図である。表示出力動作は動作フロー１１００を含む
。動作１１０２において、たとえばＧＳＤＳ、ＭＤＳ、ＰＵなどの更新モードまたは駆動
スキームが指定される。駆動スキームは表示更新コマンドの部分として指定されてもよい
。動作１１０４において、波形メモリー３４から駆動スキームの駆動フレームの駆動パル
スがフェッチされる。フェッチされた駆動パルスは、指定された駆動スキームの特定の駆
動フレームおよび現在の温度に対応する。更新パイプ８４に関連するルックアップテーブ
ル（ｌｏｏｋｕｐ  ｔａｂｌｅ）（「ＬＵＴ」）に、現在の駆動フレームの駆動スキーム
に対するすべての可能な駆動パルスが保存されていてもよい。
【００６７】
動作１１０６において、更新バッファー８０から合成画素がフェッチされる。動作１１
０８において、フェッチされた合成画素に対して駆動インパルスが検索される。合成画素
の現在の表示状態および次の表示状態を用いて、ＬＵＴにおける駆動パルスデータを検索
する。動作１１１０において、検索された駆動パルスデータは、更新パイプに含まれてい
てもよい先入れ先出しメモリー（ｆｉｒｓｔ−ｉｎ−ｆｉｒｓｔ−ｏｕｔ）（「ＦＩＦＯ
」）に保存される。
【００６８】
動作１１１２において、現在の合成画素が更新領域の最後の画素位置に対応するかどう
かが判定される。更新領域は表示マトリックス２６または１つもしくはそれ以上のサブマ
トリックス５２であってもよい。最後の画素位置でなければ、更新領域の付加的な合成画
素の各々に対して動作１１０６〜１１１０が繰り返される。現在の合成画素が最後の合成
画素であれば、動作１１１４において駆動フレームカウントが増分される。動作１１１６
において、現在の駆動フレームが駆動スキームの最後の駆動フレームであるかどうかが判
定される。最後の駆動フレーム期間でなければ、駆動スキームの残りの駆動フレーム期間
の各々に対して動作１１０４〜１１１２が繰り返される。最後の駆動フレーム期間であれ
ば、更新領域の表示画素は新しい表示状態への遷移を完了しており、動作フローは終了す
る。
【００６９】
動作フロー１１００に加えて、表示出力動作は、更新パイプ８４に保存される駆動パル
スデータを表示装置２４および表示電力モジュール３８に与えるステップを含む。再び図
７を参照して、表示出力動作において、タイミング発生ユニット８６は更新パイプ８４に
保存される駆動パルスデータをフェッチして、フェッチした駆動パルスデータを表示装置
２４および表示電力モジュール３８に与えてもよい。タイミング発生ユニット８６は更新
パイプ８４の出力に結合された入力を含む。タイミング発生ユニット８６は、波形および
表示装置２４のタイミング要求に従って、波形データを表示電力モジュール３８および表
示装置２４に与える。
【００７０】
ここで必要とされるタイミング要求の局面に戻り、再び図６を参照すると、波形は一般
的に複数の駆動フレーム期間を含む。駆動フレーム期間においては、典型的に表示マトリ
ックス２６のすべての行が、一番上またはときには一番下の行から始めて行ごとにアドレ
ス指定される。再び図４を参照して、行ドライバー４２は、表示マトリックス２６の最初
の行、たとえば第１行Ｒ１などから出発して、表示画素の行を順次アドレス指定する。行
がアドレス指定されている間に、列ドライバー４４によって、駆動パルスがそれぞれの列
データライン４８上からアドレス指定される行の１つまたはそれ以上の表示画素４０へと
駆動され、駆動パルスは表示状態の変更を行なっている１つまたはそれ以上の表示画素４
０に対して駆動される。「ラインアドレス期間」として公知の間隔の後、行ドライバー４
２は最初の行のアドレス指定を停止する。つまり、行ドライバーは第１行のすべてのトラ
ンジスターまたはスイッチング素子をオフにする。次いで、次の順番の行、たとえば行Ｒ
２などがアドレス指定されて、駆動パルスが列データライン４８に配置されることによっ
て行Ｒ２の表示画素が駆動される。行Ｒｎがアドレス指定されて表示マトリックス全体が
行ごとの態様で書込まれるまで、このプロセスが繰り返される。
【００７１】
公知の波形によって、各ラインアドレス期間は典型的には同じ持続時間である。加えて
、駆動パルス期間は典型的には同一であり、ラインアドレス期間より短いかまたはそれに
等しい持続時間である。一例として、表示マトリックスは６４０画素の４８０行を含んで
もよく、フレーム期間は２０ミリ秒であってもよく、ラインアドレス期間は４１．７マイ
クロ秒であってもよい。
【００７２】
公知の波形は、流体内の粒子の移動を可能にするために、駆動パルスが時間間隔を置か
れることを必要とすることがある。一連のラインアドレス期間においてｎ本のラインを有
する表示マトリックス２６に与えられる一連の駆動パルスを考えると、各ラインのアドレ
ス指定は少なくともｎ−１ラインアドレス期間だけ時間的に分離される。たとえば、表示
マトリックス２６は４８０ラインを有してもよい。各ラインアドレス期間は少なくとも４
７９ラインアドレス期間だけ時間的に分離されてもよい。ラインアドレス期間が４１．７
マイクロ秒であるとき、あらゆる特定のラインのアドレス指定の間の時間は４７９×４１
．７マイクロ秒＝２０ミリ秒となる。上述のとおり、駆動電圧パルスが終了した後も流体
中の粒子の移動は続くことがある。したがって、駆動された表示画素に関連する粒子の移
動は、表示画素が駆動パルスによって駆動された後にも最高２０ミリ秒間続き得る。駆動
パルスが適切な時間間隔、たとえば２０ミリ秒だけ間隔を置かれていなければ、表示画素
は満足のいく態様で所望の表示状態に駆動されないかもしれない。したがって少なくとも
この理由から、特定の波形に関連するタイミング要求に従うことが重要である。
【００７３】
表示画素４０の各々に特定の表示状態を取らせることによって、表示マトリックス２６
に画像が与えられてもよい。一般的に、一旦最初の画像が表示マトリックス２６に与えら
れると、その画像に２タイプの変更が加えられる。画像全体が変更されてもよいし、画像
の１つまたはそれ以上の部分が変更されてもよい。更新領域が表示マトリックス２６全体
であるとき、表示更新動作は「全体的表示更新」である。更新領域が１つまたはそれ以上
のサブマトリックス５２であるとき、表示更新動作は「部分的表示更新」である。部分的
表示更新において、サブマトリックス５２に含まれていない表示マトリックス２６の表示
画素は変更されない。
【００７４】
公知の方法に従うと、全体的更新が行なわれるか部分的更新が行なわれるかに関わらず
、特定の波形のフレーム期間およびラインアドレス期間は同じであってもよい。よって、
全体的更新が行なわれるか部分的更新が行なわれるかに関わらず、表示マトリックス２６
の第１行Ｒ１から始まって、指定されるラインアドレス期間に対して各行が順にアドレス
指定される。部分的表示更新の場合、サブマトリックス５２の外側の行がアドレス指定さ
れると、列ドライバー４４によってその行の表示画素の画素データが取除かれる。たとえ
ば、図４を参照して、部分的表示更新の際に行Ｒ１〜Ｒ７およびＲ１２〜Ｒ１４がアドレ
ス指定されるときには、これらの行の画素データが取除かれる。
【００７５】
図１２は、実施形態の１つに従った、部分的表示更新において表示電力モジュール３８
および表示装置２４に波形データを与えるためのフロー図である。動作１２２０において
、現在の駆動フレームが特定の波形の第１の駆動フレームであるかどうかが判定される。
現在の駆動フレームが波形の第１の駆動フレームであれば、フローは動作１２２２に進む
；それ以外のとき、フローは動作１２２４に進む。動作１２２２においては、以下に記載
される動作フロー１３００が行なわれる。動作１２２４において、現在の駆動フレームが
特定の波形の最終または最後の駆動フレームであるかどうかが判定される。現在の駆動フ
レームが波形の最終駆動フレームであれば、フローは動作１２２６に進む；それ以外のと
き、フローは動作１２２８に進む。動作１２２６においては、以下に記載される動作フロ
ー１４００が行なわれる。
【００７６】
動作１２２８において、行カウントが初期化される。動作１２３０において、「現在の
行」が選択される。現在の行は行カウント値に相当する。動作１２３２において、表示装
置２４に第１の信号が与えられる。第１の信号に応答して、表示装置２４は現在選択され
ている行に対応する表示マトリックス２６の行をアドレス指定する。加えて、第１の信号
に応答して、表示装置２４は第１のラインアドレス期間に対してその行をアドレス指定す
る。第１のラインアドレス期間は、特定の波形の駆動パルスの長さより長いかまたはそれ
に等しい期間であってもよい。第１のラインアドレス期間は、特定の波形によって規定さ
れる期間であってもよい。動作１２３４において、表示電力モジュール３８に第２の信号
が与えられる。第２の信号に応答して、表示電力モジュール３８は、駆動インパルスの形
の画素データを、列ドライバー４４を介して表示マトリックス２６の現在アドレス指定さ
れている行の１つまたはそれ以上の表示画素に与える。動作１２３６において、表示マト
リックス２６の選択された行のカウントが増分される。動作１２３８は、増分されたカウ
ントが表示マトリックス２６の行数を超えているかどうかを判定する。カウントが表示マ
トリックス２６の行数を超えていなければ、フロー１２００は現在の行が選択される動作
１２３０に進む。他方で、カウントが表示マトリックス２６の行数を超えていれば、フロ
ー１２００は動作１２４０に進み、ここでは表示フレームに対する例示的な動作フロー１
２００が停止される。
【００７７】
図１３は、実施形態の１つに従った、部分的表示更新の第１の駆動フレームにおいて表
示電力モジュール３８および表示装置２４に波形データを与えるための例示的な動作フロ
ー１３００を示す。例示的なフロー１３００において、部分的表示更新はサブマトリック
ス５２上で行なわれる。動作１３０２において、行カウントが初期値に設定される。動作
１３０２において、行カウントが初期化されることによって、行の選択は「最初の（ｉｎ
ｉｔｉａｌ）」行から出発する。実施形態の１つにおいて、最初の行は表示マトリックス
２６の第１行、たとえば行Ｒ１である（図４を参照）。最初の行は表示マトリックスの一
番下の行、たとえば行Ｒｎであってもよい。１つの代替的な実施形態において、初期値は
サブマトリックス５２の第１行、たとえば行Ｒ８に設定される（図４を参照）。代替形に
おいて、最初の行はサブマトリックス５２の一番下の行、たとえば行Ｒ１１であってもよ
い。実施形態の１つにおいて、動作１３０２は、表示マトリックスの最初の行またはライ
ンを指定するステップを含んでもよい。実施形態の１つにおいて、表示コントローラー２
８は表示装置に特定の行アドレスを与えるために動作可能であり、その特定の行アドレス
は最初の行またはラインを定める。
【００７８】
動作１３０４において、行カウントに対応する行が選択され、すなわち現在の行として
識別される行が選択される。カウントは初期化の後に繰り返し増分される（動作１３１８
）ため、フロー１３００に従って、最初の行に続く表示マトリックスの各行が順次選択さ
れる。最初の行が表示マトリックスの第１行に設定されるとき、表示マトリックスの第１
行に続く表示マトリックスの各行が選択され、すなわち表示マトリックス２６の行Ｒ１〜
Ｒｎが選択される。他方で、最初の行がサブマトリックス５２の第１行に設定されるとき
、第１の駆動フレームにおいて表示マトリックスの行Ｒ８〜Ｒｎが選択され、行Ｒ１〜Ｒ
７は選択されない。
【００７９】
動作１３０６は、現在選択される行がサブマトリックス５２の第１行アドレス、たとえ
ば行Ｒ８に先行するかどうかを判定する。現在アドレス指定される行がサブマトリックス
５２の第１行アドレスに先行していれば、動作１３０８が行なわれる。他方で、現在アド
レス指定される行がサブマトリックス５２の第１行アドレスに後続していれば、動作１３
１２が行なわれる。
【００８０】
動作１３１２において、表示装置２４に第１の信号が与えられてもよい。第１の信号に
応答して、表示装置２４は現在選択される行に対応する表示マトリックス２６の行をアド
レス指定する。加えて、第１の信号に応答して、表示装置２４は第１のラインアドレス期
間に対してその行をアドレス指定する。前述のとおり、第１のラインアドレス期間は、特
定の波形の駆動パルスの長さより長いかまたはそれに等しい期間であってもよい。第１の
ラインアドレス期間は、特定の波形によって規定される期間であってもよい。
【００８１】
動作１３０８において、表示装置２４に第２の信号が与えられてもよい。第２の信号に
応答して、表示装置２４は現在選択される行に対応する表示マトリックス２６の行をアド
レス指定する。加えて、第２の信号に応答して、表示装置２４は第２のラインアドレス期
間に対してその行をアドレス指定する。第１のラインアドレス期間とは対照的に、第２の
ラインアドレス期間は特定の波形の駆動パルスの長さよりも短い期間であってもよい。た
とえば、第１のラインアドレス期間が４１．７マイクロ秒（２４ｋＨｚ）であるとき、第
２のラインアドレス期間は１０マイクロ秒（１００ｋＨｚ）であってもよい。第２のライ
ンアドレス期間の持続時間は、行ドライバーの最大入力周波数に基づいて定められてもよ
い。
【００８２】
動作１３０８が始まった後に動作１３１０が行なわれる。動作１３１０において、現在
の行がアドレス指定されている間に現在の行の表示画素から画素データが取除かれる。現
在アドレス指定される行がサブマトリックス５２の最初の行アドレスに先行していれば、
その行が第２のラインアドレス期間に対してアドレス指定されている間に現在の行の表示
画素から画素データが取除かれる。
【００８３】
動作１３１２が始まった後に動作１３１４が行なわれる。動作１３１４において、現在
選択される行がサブマトリックス５２内にあるかどうかが判定される。現在選択される行
がサブマトリックス５２内にあると判定されれば、動作１３１６が行なわれる。他方で、
現在選択される行がサブマトリックス５２内にないと判定されれば、動作１３１０が行な
われる。
【００８４】
動作１３１６は、動作１３１２が始まった後および動作１３１４の後に行なわれてもよ
い。動作１３１６において、表示電力モジュール３８に第３の信号が与えられてもよい。
第３の信号に応答して、表示電力モジュール３８は、駆動インパルスの形の画素データを
、列ドライバー４４を介して表示マトリックス２６の現在アドレス指定される行の１つま
たはそれ以上の表示画素に与える。現在の行が第１のラインアドレス期間に対してアドレ
ス指定されている間に、現在の行の１つまたはそれ以上の表示画素に駆動パルスが駆動さ
れる。
【００８５】
動作１３１０は、動作１３１２が始まった後および動作１３１４の後に行なわれてもよ
い。動作１３１０において、現在の行がアドレス指定されている間に現在の行の表示画素
から画素データが取除かれる。現在アドレス指定される行がサブマトリックス５２の最初
の行アドレスに先行していなければ、その行が第１のラインアドレス期間に対してアドレ
ス指定されている間に現在の行の表示画素から画素データが取除かれる。
【００８６】
動作１３１８において、表示マトリックス２６の選択される行のカウントが増分される
。動作１３２０は、増分されたカウントが表示マトリックス２６の行数を超えているかど
うかを判定する。カウントが表示マトリックス２６の行数を超えていなければ、フロー１
３００は動作１３０４に進み、そこで現在の行が選択される。他方で、カウントが表示マ
トリックス２６の行数を超えていれば、フロー１３００は動作１３２２に進み、そこで第
１の表示フレームに対する例示的な動作フロー１３００が停止する。
【００８７】
動作フロー１３００が使用されるとき、波形の第１の駆動フレーム期間は波形のその後
の駆動フレーム期間よりも短くなる。第１の駆動フレームは、連続した短くされた第２の
ラインアドレス期間に続く標準の長さの第１のラインアドレス期間を含むことになる。一
例として、図４を参照して、第１の駆動フレームは７つの短くされた第２のラインアドレ
ス期間（行Ｒ１〜Ｒ７）に続く７つの標準的な第１のラインアドレス期間（行Ｒ８〜Ｒ１
４）を含む。
【００８８】
別の例として、４８０ラインを有する表示マトリックス２６と、ライン２４０の第１行
アドレスを有するサブマトリックス５２とを考える。第１のラインアドレス期間は４１．
７マイクロ秒であり、第２のラインアドレス期間は１０マイクロ秒であるとさらに仮定す
る。この例において、第１の駆動フレームは１２．４ミリ秒を要する（［２４０ライン×
１０マイクロ秒］＋［２４０ライン×４１．７マイクロ秒］）。第１の駆動フレームに続
く駆動フレームは２０ミリ秒を要する（４８０ライン×４１．７マイクロ秒）。動作フロ
ー１３００が用いられなければ、第１の駆動フレームも２０ミリ秒を要する。よってこの
例においては、動作フロー１３００を用いることによって、第１の駆動フレームが動作フ
ロー１３００を用いない第１の駆動フレームよりも７．６２ミリ秒（２０−１２．４）短
くなる。
【００８９】
前述の例から、開示される実施形態の１つの特徴は、動作フロー１３００を用いるとき
に動作フロー１３００を用いないときよりも部分的更新を行なうための時間が短くなり得
ることであることが分かる。部分的更新を行なうための時間を短縮することで、動作フロ
ー１３００を用いないときよりも早く完了した部分的更新を見せることができる。別の特
徴は、動作フロー１３００を用いないときよりも早く部分的更新が始まり得ることである
。波形期間の間は表示画素の外観は静的ではない。第１の駆動フレームのパルスが印加さ
れるとすぐに、サブマトリックス５２の表示画素４０が新しい表示状態への遷移を始める
ために、流体６０中の粒子移動が始まり得る。遷移期間中に表示装置２４に与えられる画
像は不完全であるが、それは人の目に知覚可能であり得る。動作フロー１３００を用いな
いときよりも早く部分的更新を開始することで、最初の粒子移動による画像の外観の変化
をより早く見せて、視覚的フィードバックを提供できる。
【００９０】
なお、動作フロー１３００は単一のサブマトリックス５２を仮定するものである。たと
えば、動作１３０６を変えて現在の行が第１のサブマトリックス５２の第１行に先行する
かどうかを判定するようにさせることによって、複数のサブマトリックス５２を収容する
ように動作フロー１３００を修正してもよい。
【００９１】
１つの代替形において、サブマトリックス５２の第１行は、側端部の鉛直行であっても
よい。この代替形においては、行および列ドライバーの通常の役割が反対になることが予
期される。すなわち、個々の列が列ドライバーによって選択され、画素データは行ドライ
バーによって駆動されるかまたは駆動されない。
【００９２】
代替的な実施形態においては、動作１３１６において、現在選択される行に画素データ
が与えられなくてもよいし、現在選択される行の表示画素に画素データが駆動されなくて
もよい。
【００９３】
なお、動作フロー１３００は一般的に、２つまたはそれ以上の駆動フレームのうち第１
の駆動フレームに対してのみ行なわれる；動作フロー１３００は一般的に、第１の駆動フ
レームの後の駆動フレームに対しては行なわれない。しかし、実施形態の１つにおいて、
連続する２つまたはそれ以上の駆動フレームの最終駆動フレームのラインアドレス指定が
修正されてもよい。
【００９４】
図１４は、実施形態の１つに従った、部分的表示更新の最終駆動フレームにおいて表示
電力モジュール３８および表示装置２４に波形データを与えるための例示的な動作フロー
１４００を示す。例示的なフロー１４００において、部分的表示更新はサブマトリックス
５２上で行なわれる。実施形態の１つにおいて、サブマトリックス５２の最後のラインに
後続するラインは最終駆動フレームにおいて選択されない。代替的な実施形態において、
サブマトリックス５２の最後のラインに後続するラインは、第１のラインアドレス期間に
対して選択される代わりに、最終駆動フレームにおける第２のラインアドレス期間に対し
て選択される。実施形態の１つにおいて、最初の行は表示マトリックス２６の第１行、た
とえば行Ｒ１である（図４を参照）。最初の行は表示マトリックスの一番下の行、たとえ
ば行Ｒｎであってもよい。１つの代替的な実施形態において、初期値はサブマトリックス
５２の第１行、たとえば行Ｒ８に設定される（図４を参照）。代替形において、最初の行
はサブマトリックス５２の一番下の行、たとえば行Ｒ１１であってもよい。
【００９５】
動作１４０２において、行カウントが初期化されることによって、行の選択は「現在の
」行から出発する。現在の行は第１行または最初の行であってもよい。第１行は一番上の
行Ｒ１または一番下の行Ｒｎであってもよい。実施形態の１つにおいて、動作１４０２は
、表示マトリックスの最初の行またはラインを指定するステップを含んでもよい。動作１
４０４において、最大カウント値を設定する目的のために、表示マトリックス２６の最終
行値が設定されてもよい。最終行値は、サブマトリックス５２の最後の行、たとえば図４
のサブマトリックス５２の行Ｒ１１に設定されてもよい。加えて、最終行値は、表示マト
リックスの一番下からカウントする場合に対してサブマトリックス５２の最初の行に設定
されてもよい。代替的に、最終行値は表示マトリックス２６の最後の行Ｒｎまたは表示マ
トリックス２６の第１行Ｒ１に設定されてもよい。
【００９６】
動作１４０６において、行カウントに対応する行が選択され、すなわち現在の行として
識別される行が選択される。カウントは初期化動作の後に繰り返し増分される（動作１４
１８）ため、フロー１４００に従って、最初の行に続く表示マトリックスの各行が順次選
択される。最初の行が表示マトリックス２６の第１行に設定され、最終行値が表示マトリ
ックス２６の最後の行Ｒｎに設定されるとき、表示マトリックスの第１行に続く表示マト
リックスの各行が選択され、すなわち表示マトリックス２６の行Ｒ１〜Ｒｎが選択される
。他方で、最初の行が表示マトリックス２６の第１行に設定され、最終行値がサブマトリ
ックス５２の最後の行に設定されるとき、最終駆動フレームにおいて表示マトリックスの
行Ｒ１〜Ｒ１１が選択され、行Ｒ１２〜Ｒ１４は選択されない（図４を参照）。
【００９７】
動作１４０８は、現在選択される行が表示マトリックス２６の最終行に後続するかどう
かを判定する。たとえば、図４に示される例示的な表示マトリックスにおいて、行１１は
サブマトリックス５２の最終行である。動作１４０８において、現在選択される行が表示
マトリックス２６の最終行に後続しないと判定されれば、動作１４１０が行なわれる。他
方で、動作１４０８において、現在選択される行が表示マトリックス２６の最終行に後続
すると判定されれば、動作１４１４が行なわれる。
【００９８】
動作１４１０において、表示装置２４に第１の信号が与えられる。第１の信号に応答し
て、表示装置２４は現在選択される行に対応する表示マトリックス２６の行をアドレス指
定する。加えて、第１の信号に応答して、表示装置２４は選択された行を第１のラインア
ドレス期間に対してアドレス指定する。前述のとおり、第１のラインアドレス期間は特定
の波形の駆動パルスの長さより長いかまたはそれに等しい期間であってもよく、第１のラ
インアドレス期間は特定の波形によって規定される期間であってもよい。
【００９９】
動作１４１４において、表示装置２４に第２の信号が与えられる。第２の信号に応答し
て、表示装置２４は現在選択される行に対応する表示マトリックス２６の行をアドレス指
定する。加えて、第２の信号に応答して、表示装置２４は選択された行を第２のラインア
ドレス期間に対してアドレス指定する。第１のラインアドレス期間とは対照的に、第２の
ラインアドレス期間は、特定の波形の駆動パルスの長さよりも短い期間であってもよい。
【０１００】
動作１４１０の後に動作１４１２が行なわれる。動作１４１２において、表示電力モジ
ュール３８に第３の信号が与えられてもよい。第３の信号に応答して、表示電力モジュー
ル３８は、駆動インパルスの形の画素データを、列ドライバー４４を介して表示マトリッ
クス２６の現在アドレス指定される行の１つまたはそれ以上の表示画素に与える。現在の
行が第１のラインアドレス期間に対してアドレス指定されている間に、現在の行の１つま
たはそれ以上の表示画素に駆動パルスが駆動される。
【０１０１】
動作１４１４が始まった後に動作１４１６が行なわれてもよい。動作１４１６において
、現在の行が第２のラインアドレス期間に対してアドレス指定されている間に、現在の行
の表示画素から画素データが取除かれる。
【０１０２】
動作１４１０〜１４１２または１４１４〜１４１６の後に動作１４１８が行なわれる。
動作１４１８において、表示マトリックス２６の選択される行のカウントが増分される。
次に動作１４２０は、増分されたカウントが表示マトリックス２６の最終行数を超えてい
るかどうかを判定する。カウントが表示マトリックス２６の最終行数を超えていなければ
、フロー１４００は動作１４０６に進み、そこで現在の行が選択される。他方で、カウン
トが表示マトリックス２６の最終行数を超えていれば、フロー１４００は動作１４２２に
進み、そこで最終表示フレームに対する例示的な動作フロー１４００が停止する。
【０１０３】
動作フロー１４００に従って最終駆動フレームのラインをアドレス指定することによっ
て、電力を節約できるか、その後の更新動作をもっと早く始められるか、またはその両方
が可能になるかもしれない。
【０１０４】
図１５は、波形の一連の駆動フレームを示す。特に、図１５は、波形シーケンスにおけ
る第１駆動フレームおよび最終駆動フレームに適用された動作フロー１２００、１３００
および１４００を示す。この例における特定の波形は６つの駆動フレームを含む。動作フ
ロー１３００または１４００を取り入れていない方法に従うと、６つの駆動フレームはそ
れぞれ期間Ｔ１〜Ｔ６に行なわれ、各フレームの各ラインが第１のラインアドレス期間に
対してアドレス指定される。駆動フレームは６つの表示マトリックス２６によって図示さ
れており、各表示マトリックスはサブマトリックス５２を含む。例示的な表示マトリック
ス２６は４８０ラインを有する。サブマトリックス５２の第１のラインアドレスはライン
２４０である。サブマトリックス５２の最後のラインアドレスはライン３６０である。時
間Ｔ１に第１の表示マトリックス２６が示される。ライン１〜２３９はラインの第１群Ｒ
Ｇ１を表わす。
【０１０５】
動作フロー１３００に従うと、Ｔ１表示マトリックスのラインの第１群ＲＧ１における
各ラインは、第２のラインアドレス期間に対して選択される。動作フロー１３００に従う
と、Ｔ１表示マトリックスのライン２４０から始まる各ラインは、第１のラインアドレス
期間に対して選択される。前述のとおり、第２のラインアドレス期間は第１のラインアド
レス期間よりも短くてもよい。動作フロー１２００に従うと、時間Ｔ２〜Ｔ５に示される
表示マトリックスのライン１〜４８０の各々は、第１のラインアドレス期間に対して選択
される。加えて、動作フロー１４００に従うと、時間Ｔ６に示される表示マトリックスの
ライン１〜３６０の各々は、第１のラインアドレス期間に対して選択される。
【０１０６】
Ｔ１表示マトリックスのライン２４０とＴ２表示マトリックスのライン２３９との間に
経過する時間は、サブマトリックス５２の第１の駆動フレーム期間に対応するものとして
表示されてもよい（図１５において「１」とラベル付けされる）。同様に、Ｔ２表示マト
リックスのライン２４０とＴ３表示マトリックスのライン２３９との間に経過する時間は
、サブマトリックス５２の第２の駆動フレーム期間に対応するものとして表示されてもよ
く（図面において「２」とラベル付けされる）、以下同様である。この態様で表示される
とき、サブマトリックス５２に対する駆動パルスは等しい時間間隔を置かれていることが
分かり、これは典型的な波形の要求を満たしている。
【０１０７】
時間Ｔ６に示される表示マトリックスのライン３６１〜４８０（図１５においてＲＧ２
と示される）の各々は、第１のラインアドレス期間に対して選択されてもよい。しかし、
動作フロー１４００に従うと、時間Ｔ６に示される表示マトリックスのライン３６１〜４
８０の各々は、第２のラインアドレス期間に対して選択されてもよい。別の代替形におい
て、行群ＲＧ２のラインは選択されない。前述のとおり、サブマトリックス５２の最後の
ラインに続く最終駆動フレームのラインを第２のラインアドレス期間に対してアドレス指
定するか、またはサブマトリックス５２の最後のラインに続く最終駆動フレームのライン
をアドレス指定しないことによって、電力を節約できるか、その後の更新動作をもっと早
く始められるか、またはその両方が可能になるかもしれない。
【０１０８】
図７を参照して、実施形態の１つにおいて、タイミング発生器８６は最初の行から出発
して最終行で終わる表示マトリックスの各行を順次アドレス指定してもよい。動作フロー
１２００、１３００および１４００に従って、タイミング発生器８６は次の順序の行をア
ドレス指定する前に、各行を第１または第２のラインアドレス期間の一方に対してアドレ
ス指定してもよい。加えてタイミング発生器８６は、表示マトリックス２６の順次アドレ
ス指定される行の各々に対して、その行がサブマトリックス５２内にあれば、その行がア
ドレス指定されている間に順次アドレス指定される行の１つまたはそれ以上の表示画素４
０に駆動パルスを駆動させてもよい。さらにタイミング発生器８６は、表示マトリックス
２６の順次アドレス指定される行の各々に対して、その行がサブマトリックス５２の外側
にあれば、その行がアドレス指定されている間に順次アドレス指定される行の表示画素か
ら駆動パルスを取除かせてもよい。さらにタイミング発生器８６は、もし最初の行値が表
示マトリックスの第１行以外の値に設定されているか、または最終行値が表示マトリック
スの最後の行以外の値に設定されていれば、表示マトリックスの行を順次アドレス指定し
ているときに第１駆動フレームまたは最終駆動フレームの特定の行を除外してもよい。
【０１０９】
実施形態の１つにおいては、図３に示されるとおり、２つまたはそれ以上の行ドライバ
ー４２ａ、４２ｂが公知のデイジーチェーン配線スキーム４５に従ってともに配線されて
もよい。複数の行ドライバーの各々はｎ個の出力を有してもよい。２つまたはそれ以上の
行ドライバー２４が公知のデイジーチェーン配線スキームで配置されているとき、第１の
行ドライバーはラインクロック信号を受取って第１の出力ラインをアドレス指定する。付
加的なラインクロック信号の各々を受取った際に、アドレス指定される行ドライバーの出
力ラインが増分される。ラインクロック信号が受取られると、第１の行ドライバー４２ａ
の第１ラインからカウントが始まり、第１の行ドライバー４２ａの第ｎラインまで順に進
行してもよい。デイジーチェーン配線スキームに従うと、第１の行ドライバー４２ａの第
ｎラインの選択の直後のラインクロック信号において、第２の行ドライバー４２ｂの第１
ラインが選択される。次いでカウントは第２の行ドライバー４２ｂの第ｎラインまで順に
進行する。デイジーチェーン配置に第３の行ドライバーが含まれていれば、第２の行ドラ
イバーの第ｎラインの選択の直後のラインクロック信号において、第３の行ドライバーの
第１ラインが選択される。出力ラインの増分は、最後の行ドライバーの第ｎラインに達す
るまで、デイジーチェーン行ドライバーの各々に対してこの態様で続き、最後の行ドライ
バーの第ｎラインに達すると、カウントは第１の行ドライバーの第１ラインにリセットさ
れてもよい。
【０１１０】
実施形態の１つにおいて、表示装置２４は２つまたはそれ以上のデイジーチェーン行ド
ライバーを含み、２つまたはそれ以上の行ドライバーのうち少なくとも１つをバイパスす
るように公知のデイジーチェーン配線スキームが適合される。たとえば、表示装置２４は
行ドライバー４２ａ、４２ｂを含んでもよい。実施形態の１つにおいて、サブマトリック
ス５２上で部分的表示更新が行なわれるとき、サブマトリックス５２の第１のラインアド
レスが識別される。サブマトリックス５２の第１のラインアドレスが第２の行ドライバー
４２ｂの出力の１つに含まれると識別されるとき、第１の行ドライバー４２ａはバイパス
されてもよいと判断される。サブマトリックス５２の部分的表示更新動作において、第１
の行ドライバー４２ａはバイパスされて、第２の行ドライバー４２ｂの第１ラインからラ
インのアドレス指定が始まってもよい。行ドライバー４２ａの第ｎラインに後続する表示
マトリックスのラインに対して、動作フロー１３００が適用されてもよい。
【０１１１】
表示装置２４が２つまたはそれ以上のデイジーチェーン行ドライバーを含むような実施
形態の１つにおいて、サブマトリックス５２のすべてのラインアドレスが１つの行ドライ
バーの出力に含まれる場合をうまく利用するために、最終駆動フレームのラインアドレス
指定を修正してもよい。たとえば、サブマトリックス５２の最後のラインアドレスが行ド
ライバー４２ａの出力に含まれるとき、最終駆動フレームにおいて行ドライバー４２ｂが
バイパスされてもよい。言い換えると、最終駆動フレームにおいては行ドライバー４２ａ
の出力のみが選択される。行ドライバー４２ａの第ｎラインに先行する表示マトリックス
のラインに対して、動作フロー１４００が適用されてもよい。
【０１１２】
代替的な実施形態においては、あらゆる所望の行選択ライン４６をアドレス指定（また
は選択）するために動作可能な１つまたはそれ以上の行ドライバー１４２が表示装置１２
４に設けられてもよい。前述のとおり、従来の行ドライバーは、第１ラインを選択し、次
いでその後のクロックパルスにおいて連続的なラインを順次選択することによって動作す
る。しかし、従来の行ドライバーはあらゆる所望のラインをランダムに選択するために動
作可能ではない。従来の行ドライバーとは対照的に、図１６は実施形態の１つに従った行
ドライバー１４２を示し、この行ドライバー１４２は表示マトリックス２６のあらゆる所
望の行をランダムに選択し、選択されたラインから始まる連続的な行選択ライン４６を順
次選択するために動作可能である。
【０１１３】
行ドライバー１４２は、所望の最初のライン番号を配置してもよいＳＴＬ入力を含む。
従来の行ドライバーと同様に、行ドライバー１４２は表示マトリックス２６の特定の行Ｒ
１〜Ｒｎを選択するための複数の行選択ライン４６を含む。例示的な実施形態の１つにお
いて、行ドライバーは２４０本の行選択ライン４６を含む。これより多いかまたは少ない
行選択ラインが与えられてもよい。ライン４６の各々は出力イネーブル論理ブロック１４
４のインスタンスに結合される。出力イネーブル論理ブロック１４４は出力イネーブル入
力（ｏｕｔｐｕｔ  ｅｎａｂｌｅ  ｉｎｐｕｔ：ＯＥ）に結合される。出力イネーブル論
理ブロック１４４は、出力イネーブル信号がアサートされるときに、レジスター群１４６
のそれぞれのレジスター（Ｒ１〜Ｒｎ）に保存される値を表示マトリックス２６に渡すた
めに動作する。実施形態の１つにおいて、レジスター群１４６はシフトレジスターである
。例示的な実施形態の１つにおいて、レジスター群１４６は行選択ライン４６の各々に対
して１つずつ、２４０個のレジスターを含む。個々のレジスターは、デマルチプレクサー
１５０の出力１４８のそれぞれ１つに結合される。行ドライバー１４２は、ＳＴＬおよび
ＯＥ入力に加えて、Ｕ／Ｄ、ＣＬＫおよびＳＴＶ入力を含む。
【０１１４】
動作中、Ｕ／Ｄ入力に信号が配置されて、カウント方向、すなわち上（ｕｐ）または下
（ｄｏｗｎ）が選択される。ＯＥ入力がアサートされる。たとえば論理「１」に対応する
電圧など、選択されたラインに駆動される値がＳＴＶ入力に配置される。ＳＴＬ入力に所
望の最初のライン番号が配置される。これらの信号がアクティブであることによって、ク
ロック信号（ｃｌｏｃｋ  ｓｉｇｎａｌ：ＣＬＫ）がアサートされる。クロック信号の立
ち上がり端部において、ＳＴＶ上の値がＳＴＬ入力において指定されるレジスターに転送
される；ＳＴＶ上の値は、指定されたレジスターから対応する行選択ライン４６に転送さ
れる。対応するライン４６上の信号は、ラインアドレス期間の持続時間の間維持される。
その後、ＳＴＶ入力に配置された値は除去され（例、論理「０」で置換され）、次のＣＬ
Ｋがアサートされる。次のＣＬＫを受取ると、シフトレジスター１４６はＳＴＶ値を前に
選択されたレジスターから次の順序のレジスターに転送し、ＳＴＶ値を次の順序のレジス
ターから対応する行選択ライン４６にコピーする。
【０１１５】
例として、２００という最初のライン番号がＳＴＬ入力に配置されると仮定する。Ｕ／
Ｄ入力は下へのカウントを指定することも仮定する。第１のＣＬＫにおいて、ＳＴＶ値は
レジスターＲ２００に転送される。加えて、ＳＴＶ値はレジスターＲ２００から行２００
に対応する行選択ライン４６にコピーされる。第２のＣＬＫにおいて、ＳＴＶ値はレジス
ターＲ２００からレジスターＲ２０１に転送され、次いでＳＴＶ値はレジスターＲ２０１
から行２０１に対応する行選択ライン４６にコピーされる。したがって、行ドライバー１
４２はＳＴＬ入力において指定されたラインから始めて、連続的な行選択ライン４６を順
次選択する。その後、ＣＬＫ信号を受取るたびに次の連続するラインが選択される。この
代替形において、表示コントローラー２８または別の装置が、あらゆる特定の行において
走査を開始するためにＳＴＬ入力を指定してもよい。
【０１１６】
図１７は、レジスター群１４６の例示的なレジスターＲｘの内部論理の概略図である。
例示的なレジスターＲｘは、ＡＮＤゲート１５２、１５４、ＯＲゲート１５６、およびラ
ッチ１５８を含む。ＡＮＤゲート１５２は、隣接するレジスターＲｘ−１に結合される第
１の入力と、Ｕ／Ｄ入力に結合される反転入力である第２の入力とを有する。ＡＮＤゲー
ト１５４は、隣接するレジスターＲｘ＋１に結合される第１の入力と、Ｕ／Ｄ入力に結合
される第２の入力とを有する。ＯＲゲート１５６は、レジスターＲｘに関連するデマルチ
プレクサー１５０の出力１４８に結合される第１の入力を有する。加えてＯＲゲート１５
６は、ＡＮＤゲート１５２、１５４の出力にそれぞれ結合される第２および第３の入力を
有する。ＯＲゲート１５６の出力はラッチ１５８のデータ入力に結合される。ラッチ１５
８はさらに、ＣＬＫに結合されるクロック入力と、出力イネーブル論理１４４を介して行
選択ライン４６と接続される出力とを含む。例として、Ｕ／Ｄが上方から下方に選択する
ように、たとえばＵ／Ｄ＝０と設定されたと仮定する。論理「１」がＳＴＶに配置され、
これはレジスターＲｘに関連する出力１４８に現れる。隣接するレジスターＲｘ−１から
のＡＮＤゲート１５２への入力と、隣接するレジスターＲｘ＋１からのＡＮＤゲート１５
４への入力とはどちらもローとなる。よって、第１の入力はハイであるが、ＯＲゲート１
５６への第２および第３の入力はローとなり、その結果ラッチ１５８の入力に「１」が配
置される。第１のＣＬＫはこの「１」をラッチ１５８の入力から出力に転送する。その後
、ＳＴＶ入力に前に配置されたこの「１」は除去され（たとえば論理「０」で置換され）
、第２のＣＬＫがアサートされる。隣接するレジスターＲｘ＋１では、レジスターＲｘ＋
１に関連するデマルチプレクサー１５０の出力１４８と結合されたＯＲゲート１５６の第
１の入力が「０」となる。隣接するレジスターＲｘ＋２と結合されたＯＲゲート１５６の
第３の入力も「０」となる。しかし、隣接するレジスターＲｘと結合されたＯＲゲート１
５６の第２の入力は「１」となり、ＯＲゲート１５６の出力をハイにする。第２のＣＬＫ
は、この「１」をＯＲゲート１５６の入力からレジスターＲｘ＋１のラッチ１５８の出力
へと転送する。この例が示すとおり、ここに示された論理は、あらゆる所望の行選択ライ
ンの最初の選択に続いて、次の順序の行選択ラインを繰り返し選択するために動作可能で
ある。示された論理は、次の順序の行選択ラインを選択するために動作可能であるが、通
常の当業者は次の順序の行選択ラインを選択するための論理はさまざまな態様で実現され
てもよいことを理解するであろう。
【０１１７】
１つの代替的な実施形態において、行ドライバー１４２と類似の行ドライバーは、ライ
ンクロックまたは鉛直シフトクロック（ＣＬＫ）信号が受信されるたびにＳＴＬ入力にお
けるライン番号をサンプリングする。次いで行ドライバーは、ＳＴＬ入力におけるライン
番号に対応する行選択ライン４６を駆動する。この代替形において、表示コントローラー
または他の装置は、ＳＴＬ入力にライン番号を配置することによって、行ドライバーが選
ぶべき各々のラインを明確に指定する。この実施形態において、行ドライバーはデマルチ
プレクサーを必要としなくてもよく、次の連続的な行選択ラインを選択するための論理を
必要としなくてもよい。行ドライバーは、タイミング要求が満たされることを確実にする
ための付加的な論理を含んでもよい。
【０１１８】
別の代替的な実施形態において、行ドライバー１４２と類似の行ドライバーは、デマル
チプレクサーの出力１４８を行選択ライン４６に直接結合させる。この実施形態では、シ
フトレジスターのレジスター部分の全部または一部が除去されてもよいが、次の順序の行
選択ラインを選択するための論理は含まれてもよい。加えて行ドライバーは、タイミング
要求が満たされることを確実にするための付加的な論理を含んでもよい。
【０１１９】
図１８は、実施形態の１つに従う部分的表示更新のための動作フロー１６００を示す。
図１８は特に、表示マトリックス２６のあらゆる所望の行をランダムに選択するために動
作可能な行ドライバーを含む表示装置を使用して画素データを駆動するために行を選択す
るための動作フローを示す。動作１６０２において、行ドライバーに最初の行値が与えら
れる。初期値の設定は、表示マトリックス２６のあらゆる行アドレスを表示コントローラ
ー２８から表示装置に送信するステップを含んでもよい。加えて、初期値の設定は、行ド
ライバーのＳＴＬ入力におけるライン番号をサンプリングするステップを含んでもよい。
動作１６０４において、第１のラインアドレス期間に対して「現在の」行が選択される。
現在の行は、行ドライバーに与えられる最初の行値であってもよい。現在の行は、次の順
序の行選択ラインを選択するための論理によって定められる行であってもよい。現在の行
は、ＳＴＬ入力からサンプリングされたライン番号に対応する行であってもよい。現在の
行は、選択された行のカウントを増分（または減分）することによって定められる行であ
ってもよい。第１のラインアドレス期間は、特定の波形の駆動パルスの長さより長いかま
たはそれに等しい期間であってもよい。動作１６０６において、現在の行がサブマトリッ
クス５２内にあるときには、その行が第１のラインアドレス期間に対してアドレス指定さ
れている間に、駆動パルスの形の画素データが現在の行の１つまたはそれ以上の表示画素
に対して駆動される。現在の行がサブマトリックス５２内にないときには、現在の行は第
１のラインアドレス期間に対して選択されてもよい；画素データは駆動されてもよいが、
駆動される必要はない。動作１６０８において、次の行が選択される。動作１６０８は、
ラインクロックまたは鉛直クロック（ＣＬＫ）信号を受取るステップを含んでもよい。動
作１６０８は、ＳＴＬ入力におけるライン番号を受取るステップを含んでもよい。動作１
６０８は、表示マトリックス２６の選択された行のカウントを増分（または減分）するス
テップを含んでもよい。動作１６１０は、増分されたカウントが表示マトリックス２６の
行の最終的な数、たとえばＲｎまたはＲ１などを超えるかどうかを判定してもよい。動作
１６１０は、増分されたカウントがサブマトリックス５２の行の最終的な数を超えるかど
うかを判定してもよい。カウントが最終行数を超えなければ、フロー１６００は動作１６
０４に進む。他方で、カウントが表示マトリックス２６の行数を超えれば、フロー１６０
０は動作１６１２に進み、そこで例示的な動作フロー１６００は停止する。
【０１２０】
実施形態の１つにおいて、この説明に記載される動作および方法のいくつかまたはすべ
てが、ハードウェア、ソフトウェア、またはハードウェアとソフトウェアとの組合せによ
って行なわれてもよい。
【０１２１】
実施形態の１つにおいて、この説明に記載される動作および方法のいくつかまたはすべ
てが、コンピューター読取り可能な媒体の中または上に保存された命令を実行することに
よって行なわれてもよい。「コンピューター読取り可能な媒体」という用語は、不揮発性
メモリー、たとえばＥＰＲＯＭ、ＥＥＰＲＯＭ、ＲＯＭ、フロッピー（登録商標）ディス
ク、ハードディスク、フラッシュメモリーなど、ならびに光媒体、たとえばＣＤ−ＲＯＭ
およびＤＶＤなどを含んでもよいがこれらに限定されない。
【０１２２】
この説明においては、「実施形態の１つ」または「実施形態」が参照されることがある
。これらの参照は、その実施形態に関して記載される特定の機能、構造または特徴が、請
求される発明の少なくとも１つの実施形態に含まれることを意味する。よって、さまざま
な場所における「実施形態の１つ」または「実施形態」という語句は、必ずしもすべてが
同じ実施形態を示していなくてもよい。さらに、１つまたはそれ以上の実施形態において
、特定の機能、構造または特徴が組合されてもよい。
【０１２３】
理解を明確にする目的のために、実施形態をいく分詳細に説明したが、添付の請求項の
範囲内で特定の変更および修正が行なわれてもよいことが明らかになるだろう。したがっ
て、記載される実施形態は例示的であって限定的ではないと考えられるべきであり、請求
される発明は本明細書に与えられる詳細に限定されるものではなく、添付の請求項の範囲
および同等物の中で修正されてもよい。さらに、前述の明細書に用いられた用語および表
現は限定ではなく説明の用語として用いられるものであり、こうした用語および表現の使
用は、ここに示され説明される特徴またはその部分の同等物を除外することを意図するも
のではなく、本発明の範囲は以下の請求項によってのみ定義および限定されることが認識
される。
【符号の説明】
【０１２４】
２０    表示システム、２４    表示装置、４０    表示画素、４６    行選択ライン
、４８    列データライン、５２    サブマトリックス、５４    マイクロカプセル、５
６    共通電極、５８    画素電極、６０    薄膜トランジスター、６１    流体、６２
白い粒子、６４    黒い粒子。
【図１】
2011028269.tif 000003
【図２】
2011028269.tif 000004
【図３】
2011028269.tif 000005
【図４】
2011028269.tif 000006
【図５】
2011028269.tif 000007
【図６】
2011028269.tif 000008
【図７】
2011028269.tif 000009
【図８】
2011028269.tif 000010
【図９】
2011028269.tif 000011
【図１０】
2011028269.tif 000012
【図１１】
2011028269.tif 000013
【図１２】
2011028269.tif 000014
【図１３】
2011028269.tif 000015
【図１４】
2011028269.tif 000016
【図１５】
2011028269.tif 000017
【図１６】
2011028269.tif 000018
【図１７】
2011028269.tif 000019
【図１８】
2011028269.tif 000020